(57)【要約】【課題】  原稿読取時の原稿の搬送不良を自動的に検出する。【解決手段】  原稿読取装置１００は、原稿を読み取る原稿読取部１０６と、原稿セット部１０２にセットされた原稿を原稿読取部１０６を介して原稿排出部１０８に搬送する原稿搬送部１０４と、原稿搬送部１０４および原稿読取部１０６を制御する読取制御部１１２と、原稿セット部１０２に設けられ、原稿セット部１０２にセットされた原稿に付された無線タグから当該原稿の識別情報を読み取るタグ情報読取部１１０と、出力処理部１１６と、表示部１１８とを含む。読取制御部１１２は、タグ情報読取部１１０が読み取った識別情報に基づき、原稿搬送部１０４による原稿の搬送不良を検出する。出力処理部１１６は、読取制御部１１２が原稿の搬送不良を検出した場合に、その結果を表示部１１８等に表示させる。【選択図】        図１
2006135669.tif 000002
【特許請求の範囲】
【請求項１】
原稿に無線タグが付された原稿の読み取りを行う原稿読取装置であって、
原稿を読み取り、読み取った原稿に基づく画像データを生成する原稿読取手段と、
原稿セット部にセットされた原稿を順次分離し、前記原稿読取手段による読取位置を介して排出部に搬送する原稿搬送手段と、
前記原稿搬送手段が前記原稿セット部にセットされた原稿を前記排出部に順次搬送するよう制御するとともに、前記原稿読取手段が、当該原稿読取手段を通過する原稿を順次読み取るよう制御する制御手段と、
前記原稿セット部から前記排出部に至る原稿通過経路に設けられ、所定範囲内にある原稿に付された無線タグから当該原稿の識別情報を読み取るタグ情報読取手段と、
前記タグ情報読取手段が読み取った前記識別情報に基づき、前記原稿搬送手段による原稿の搬送不良を検出する検出手段と、
前記検出手段が前記原稿の搬送不良を検出した場合に、その結果を通知する通知手段と、
を含むことを特徴とする原稿読取装置。
【請求項２】
請求項１に記載の原稿読取装置において、
前記タグ情報読取手段は、前記原稿セット部または前記排出部のいずれかに設置され、前記原稿セット部または前記排出部にそれぞれ配置された原稿から当該原稿の識別情報を読み取ることを特徴とする原稿読取装置。
【請求項３】
請求項２に記載の原稿読取装置において、
前記タグ情報読取手段が読み取った前記識別情報を記憶するタグ情報記憶手段をさらに含み、
前記検出手段は、前記タグ情報記憶手段を参照して、前記原稿搬送手段による１回の原稿の搬送が行われた前後の前記原稿セット部または前記排出部における原稿の識別情報の変化に基づき、前記原稿の搬送不良を検出することを特徴とする原稿読取装置。
【請求項４】
請求項１乃至３いずれかに記載の原稿読取装置において、
前記検出手段は、前記原稿セット部に複数の原稿がセットされ、いずれかの原稿の搬送不良を検出した場合に、その原稿の当該複数の原稿中における搬送順序を検出することを特徴とする原稿読取装置。
【請求項５】
請求項４に記載の原稿読取装置において、
前記搬送不良が生じた原稿の搬送順序を記憶する順序記憶手段をさらに含み、
前記通知手段は、前記検出手段が原稿の搬送不良を検出した場合、前記搬送手段が前記複数の原稿の搬送を終了した後に、前記複数の原稿を前記原稿セット部に再セットするよう促す通知を行い、
前記制御手段は、原稿搬送手段が前記原稿セット部に再セットされた原稿を前記排出部に順次搬送するよう制御するとともに、前記順序記憶手段を参照して、前記原稿読取手段が当該原稿読取手段を通過する原稿のうち、前記搬送不良が生じた原稿のみを読み取るよう制御することを特徴とする原稿読取装置。
【請求項６】
請求項５に記載の原稿読取装置において、
前記検出手段は、前記原稿セット部に前記複数の原稿が再セットされ、前記搬送手段が当該複数の原稿を再搬送する際に、当該複数の原稿の搬送順序をカウントし、当該搬送順序と、前記順序記憶手段に記憶された前記搬送不良が生じた原稿の搬送順序とに基づき、前記原稿搬送手段による原稿の再搬送が正常に行われているか否かを検出することを特徴とする原稿読取装置。
【請求項７】
請求項１乃至６いずれかに記載の原稿読取装置において、
前記原稿読取手段が生成した画像データと、当該画像データに対応する原稿の識別情報とを対応づけて記憶する画像データ記憶手段をさらに含むことを特徴とする原稿読取装置。
【請求項８】
原稿に無線タグが付された原稿の読み取りを行う原稿読取方法であって、
原稿セット部にセットされた原稿を順次分離し、読取位置を介して排出部に搬送する際に、前記原稿セット部から前記排出部に至る原稿通過経路内の所定範囲内にある原稿に付された無線タグから当該原稿の識別情報を読み取ることにより、前記原稿の搬送不良を検出するステップを含むことを特徴とする原稿読取方法。
【発明の詳細な説明】
【技術分野】
【０００１】
この発明は、原稿読取装置および原稿読取方法に関し、とくに無線タグ情報を読取可能な原稿読取装置および原稿読取方法に関する。
【背景技術】
【０００２】
特許文献１には、装置使用者がコピーを行う原稿枚数を予め確認しておき、操作部から原稿枚数を入力してコピーを開始し、コピー動作中は給紙センサが記録用紙を検知することにより、記録用紙の搬送枚数をカウントし、この結果から所定分だけコピー動作が行われなかったと判断した場合に、その旨が表示窓に表示されるように構成された画像形成装置が開示されている。これにより、原稿搬送において重送が発生したことを使用者が容易に知ることができる。
【特許文献１】特開２０００−３５２９１１号公報
【発明の開示】
【発明が解決しようとする課題】
【０００３】
しかし、従来の方法では、コピー開始前に使用者が原稿枚数を数えて入力する必要があり、使用者の手間が低減できていなかった。
【０００４】
本発明はこうした点に鑑みてなされたもので、その目的は、原稿読取時の原稿の搬送不良を自動的に検出する技術の提供にある。
【課題を解決するための手段】
【０００５】
本発明によれば、原稿に無線タグが付された原稿の読み取りを行う原稿読取装置であって、原稿を読み取り、読み取った原稿に基づく画像データを生成する原稿読取手段と、原稿セット部にセットされた原稿を順次分離し、原稿読取手段による読取位置を介して排出部に搬送する原稿搬送手段と、原稿搬送手段が原稿セット部にセットされた原稿を排出部に順次搬送するよう制御するとともに、原稿読取手段が、当該原稿読取手段を通過する原稿を順次読み取るよう制御する制御手段と、原稿セット部から排出部に至る原稿通過経路に設けられ、所定範囲内にある原稿に付された無線タグから当該原稿の識別情報を読み取るタグ情報読取手段と、タグ情報読取手段が読み取った識別情報に基づき、原稿搬送手段による原稿の搬送不良を検出する検出手段と、検出手段が原稿の搬送不良を検出した場合に、その結果を通知する通知手段と、を含むことを特徴とする原稿読取装置が提供される。
【０００６】
ここで、原稿セット部、原稿搬送手段、および排出部は、ＡＤＦ（オートドキュメントフィーダ：自動給紙装置）を構成することができる。
【０００７】
通知手段は、検出手段が原稿の搬送不良を検出した場合、その時点で通知を行うこともでき、また原稿セット部にセットされた原稿すべての読み取りが終了した時点で通知を行うこともできる。
【０００８】
このようにすれば、原稿読取時の原稿の搬送不良を自動的に検出することができる。
【０００９】
ここで、タグ情報読取手段は、原稿通過経路のいずれに設けることもできる。
【００１０】
本発明の原稿読取装置において、タグ情報読取手段は、原稿セット部または排出部のいずれかに設置することができ、原稿セット部または排出部にそれぞれ配置された原稿から当該原稿の識別情報を読み取ることができる。
【００１１】
タグ情報読取手段を原稿セット部または排出部に設けることにより、原稿が静止した状態で原稿に付された無線タグから情報を読み取ることができるので、タグ情報の読み取り精度を高めることができる。
【００１２】
本発明の原稿読取装置は、タグ情報読取手段が読み取った識別情報を記憶するタグ情報記憶手段をさらに含むことができ、検出手段は、タグ情報記憶手段を参照して、原稿搬送手段による１回の原稿の搬送が行われた前後の原稿セット部または排出部における原稿の識別情報の変化に基づき、原稿の搬送不良を検出することができる。
【００１３】
このようにすれば、原稿セット部または排出部に複数の無線タグ付き原稿が配置されている場合でも、１回の搬送処理で減少した識別情報の数に基づき、原稿の搬送不良が生じたか否かを検出することができる。
【００１４】
本発明の原稿読取装置において、検出手段は、原稿セット部に複数の原稿がセットされ、いずれかの原稿の搬送不良を検出した場合に、その原稿の当該複数の原稿中における搬送順序を検出することができる。
【００１５】
本発明の原稿読取装置は、搬送不良が生じた原稿の搬送順序を記憶する順序記憶手段をさらに含むことができ、通知手段は、検出手段が原稿の搬送不良を検出した場合、原稿搬送手段が複数の原稿の搬送を終了した後に、複数の原稿を原稿セット部に再セットするよう促す通知を行うことができ、制御手段は、原稿搬送手段が原稿セット部に再セットされた原稿を排出部に順次搬送するよう制御するとともに、順序記憶手段を参照して、原稿読取手段が当該原稿読取手段を通過する原稿のうち、搬送不良が生じた原稿のみを読み取るよう制御することができる。
【００１６】
このようにすれば、ユーザの手間を省くことができる。また、再セットされた原稿の再搬送処理および読取処理を迅速に行うこともできる。
【００１７】
本発明の原稿読取装置において、検出手段は、原稿セット部に複数の原稿が再セットされ、搬送手段が当該複数の原稿を再搬送する際に、当該複数の原稿の搬送順序をカウントし、当該搬送順序と、順序記憶手段に記憶された搬送不良が生じた原稿の搬送順序とに基づき、原稿搬送手段による原稿の再搬送が正常に行われているか否かを検出することができる。
【００１８】
これにより、再セットされた原稿の再搬送処理および読取処理を迅速に行うことができるとともに、再セットされた原稿の再搬送処理時のエラーを検出することができ、精度よく再読取処理を行うことができる。
【００１９】
本発明の原稿読取装置は、原稿読取手段が生成した画像データと、当該画像データに対応する原稿の識別情報とを対応づけて記憶する画像データ記憶手段をさらに含むことができる。
【００２０】
このようにすれば、ユーザがモニタ等で画像データ記憶手段に記憶された画像データと識別情報とを確認することにより、原稿の読取処理が正常に行われたか否かを確認することができる。
【００２１】
また、タグ情報読取手段は、原稿通過経路内の原稿セット部または排出部以外のいずれかの場所に設けてもよい。このようにすれば、順次搬送される原稿毎に識別情報を取得することができるので、どの原稿に搬送不良が生じたのかを容易に特定することができる。たとえば、タグ情報読取手段は、原稿読取手段に設けることもできる。このようにすれば、ある程度原稿の静止時間を保つことができるので、タグ情報の読み取り精度を高めることができるとともに、搬送不良が生じた原稿の特定も容易に行うことができる。
【００２２】
本発明によれば、原稿に無線タグが付された原稿の読み取りを行う原稿読取方法であって、原稿セット部にセットされた原稿を順次分離し、読取位置を介して排出部に搬送する際に、原稿セット部から排出部に至る原稿通過経路内の所定範囲内にある原稿に付された無線タグから当該原稿の識別情報を読み取ることにより、原稿の搬送不良を検出するステップを含むことを特徴とする原稿読取が提供される。
【００２３】
なお、以上の構成要素の任意の組合せ、本発明の表現を方法、装置、システム、記録媒体、コンピュータプログラムなどの間で変換したものもまた、本発明の態様として有効である。
【発明の効果】
【００２４】
本発明によれば、原稿読取時の原稿の搬送不良を自動的に検出することができる。
【発明を実施するための最良の形態】
【００２５】
以下の実施の形態において、原稿には、互いに重複しない識別情報を記憶したＩＣタグ等の無線タグが付されているものとする。
【００２６】
図１は、本実施の形態における原稿読取装置の構成を示すブロック図である。
原稿読取装置１００は、原稿セット部１０２、原稿搬送部１０４、原稿読取部１０６、原稿排出部１０８、タグ情報読取部１１０、読取制御部１１２、指示受付部１１４、出力処理部１１６、表示部１１８、読取状態記憶部１２０、および画像データ記憶部１２２を含む。
【００２７】
原稿読取装置１００の読取制御部１１２、指示受付部１１４、出力処理部１１６、読取状態記憶部１２０、および画像データ記憶部１２２等の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。実施の形態で説明した各図は、ハードウエア単位の構成ではなく、機能単位のブロックを示している。
【００２８】
指示受付部１１４は、ユーザからの各種指示を受け付ける。たとえば、指示受付部１１４は、ユーザから原稿の読取指示を受け付ける。
【００２９】
原稿セット部１０２には、読み取り対象の原稿がセットされる。原稿搬送部１０４は、原稿セット部１０２にセットされた原稿を、原稿セット部１０２から原稿読取部１０６の読取位置を介して原稿排出部１０８に搬送する。原稿セット部１０２に複数のシート状の原稿がセットされた場合、原稿搬送部１０４は、複数の原稿束から原稿を１枚ずつ分離して送出し、原稿読取部１０６による読取位置を介して原稿排出部１０８に搬送する。原稿読取部１０６は、原稿搬送部１０４により原稿セット部１０２から搬送された原稿を読み取り、読み取った原稿に基づく画像データを生成する。本実施の形態において、原稿セット部１０２、原稿搬送部１０４、および原稿排出部１０８は、ＡＤＦ（オートドキュメントフィーダ：自動給紙装置）とすることができる。
【００３０】
なお、原稿搬送部１０４の原稿搬送処理の開始は、指示受付部１１４を介したユーザからの指示に基づき行われてもよいが、タグ情報読取部１１０により、原稿セット部１０２に原稿がセットされたことが検知されたことを契機とすることもできる。
【００３１】
タグ情報読取部１１０は、無線タグのリーダである。本実施の形態において、タグ情報読取部１１０は、原稿セット部１０２に設置され、原稿セット部１０２にセットされた原稿に付された無線タグから情報を読み取る。タグ情報読取部１１０は、原稿セット部１０２に複数の原稿がセットされると、各原稿に付された無線タグとデータの送受信を行い、無線タグから各原稿の識別情報をそれぞれ取得する。タグ情報読取部１１０は、取得した識別情報を順次読取制御部１１２に送出する。これにより、読取制御部１１２は、原稿セット部１０２にセットされている原稿の枚数を検出することができる。
【００３２】
タグ情報読取部１１０が無線タグから情報を取得するタイミングは読取制御部１１２により制御される。読取制御部１１２は、原稿搬送部１０４が原稿セット部１０２から原稿を原稿読取部１０６に搬送する度にタグ情報読取部１１０に原稿セット部１０２にセットされている原稿の無線タグから情報を取得させる。ここで、タグ情報読取部１１０の情報読み取り範囲は、原稿セット部１０２にセットされた原稿に付された無線タグからの情報を読み取るように構成される。これにより、１枚の原稿が原稿セット部１０２から搬送されると、タグ情報読取部１１０が読み取り可能な無線タグの数も１つ減る。そのため、読取制御部１１２が検出する原稿の枚数も同様に減少することになる。読取制御部１１２は、原稿セット部１０２からの原稿搬送前後におけるタグ情報読取部１１０が読み取った無線タグの数の変化に基づき、原稿搬送部１０４による原稿の搬送不良を検出する。
【００３３】
読取制御部１１２は、タグ情報読取部１１０から搬送される原稿の識別情報を、原稿搬送タイミングに対応付けて読取状態記憶部１２０に記憶していく。また、読取制御部１１２は、読取状態記憶部１２０を参照して、搬送された原稿の識別情報を検出する。
【００３４】
図２は、読取状態記憶部１２０の内部構成の一例を示す図である。
ここで、読取状態記憶部１２０は、順序欄と、読取識別情報欄と、搬送欄と、正否欄とを有する。順序欄には、原稿の搬送順序が記憶される。読取識別情報欄には、タグ情報読取部１１０が原稿セット部１０２にセットされた原稿の無線タグから読み取った識別情報が記憶される。搬送欄には、搬送された原稿の識別情報が記憶される。正否欄には、搬送が正常に行われたか否かが記憶される。
【００３５】
ここで、まず、初期状態では、原稿セット部１０２には、識別情報「００１」、「００２」、「００３」、「００４」および「００５」の原稿がセットされている。１回目の原稿の搬送処理の後、原稿セット部１０２には、識別情報「００１」、「００３」、「００４」、および「００５」の原稿がセットされている。読取制御部１１２は、順序「０」と順序「１」に対応する読取識別情報欄に記憶された識別情報を比較することにより、１回目の原稿の搬送処理で搬送された原稿の識別情報が「００２」であることを検出する。読取制御部１１２は、順序「１」に対応する搬送欄に「００２」と記憶する。また、このとき、１回の原稿の搬送処理で１枚の原稿が減っているため、正否欄には「正」と記憶される。
【００３６】
２回目の原稿搬送処理の後、原稿セット部１０２には、識別情報「００１」、「００３」、および「００４」の原稿がセットされている。上記と同様にして、読取制御部１１２は、２回目の原稿の搬送処理で搬送された原稿の識別情報が「００５」であることを検出する。読取制御部１１２は、順序「２」に対応する搬送欄に「００５」と記憶する。また、このとき、１回の原稿の搬送処理で１枚の原稿が減っているため、正否欄には「正」と記憶される。
【００３７】
３回目の原稿の搬送処理の後、原稿セット部１０２には、識別情報「００１」の原稿がセットされている。上記と同様にして、読取制御部１１２は、３回目の原稿の搬送処理で搬送された原稿の識別情報が「００３」および「００４」であることを検出する。読取制御部１１２は、順序「３」に対応する搬送欄に「００３，００４」と記憶する。また、このとき、１回の原稿の搬送処理で２枚の原稿が減っているため、正否欄には「不良」と記憶される。
【００３８】
４回目の原稿の搬送処理の後、原稿セット部１０２には、原稿が残っていない。上記と同様にして、読取制御部１１２は、４回目の原稿の搬送処理で搬送された原稿の識別情報が「００１」であることを検出する。読取制御部１１２は、順序「４」に対応する搬送欄に「００１」と記憶する。また、このとき、１回の原稿の搬送処理で１枚の原稿が減っているため、正否欄には「正」と記憶される。
【００３９】
図１に戻り、読取制御部１１２が搬送不良を検出した場合、出力処理部１１６は、原稿の搬送不良が発生したこと、および原稿セット部１０２に原稿を再セットすることを促す提示を行う。本実施の形態において、出力処理部１１６は、表示部１１８に、たとえば「原稿送りに異常がありました。原稿を再度セットして下さい。」等のメッセージを表示させる。また、この通知は、図示しない音声出力部により音声で行うこともできる。
【００４０】
原稿の搬送不良が発生し、表示部１１８に原稿の再セットを促す提示を行った後に原稿セット部１０２に原稿がセットされ、指示受付部１１４が原稿の読取指示を受け取った場合、読取制御部１１２は、以下の処理を行う。
【００４１】
読取制御部１１２は、原稿セット部１０２にセットされた原稿すべてを原稿読取部１０６に読み取らせるのではなく、読取状態記憶部１２０を参照して、原稿の搬送不良が発生した箇所の原稿のみを読み取らせる。これにより、原稿の再搬送および再読取を迅速に行うことができる。
【００４２】
たとえば、図２に示した例では、１枚目および２枚目の原稿は前回の処理で正常に読み取られている。そこで、読取制御部１１２は、原稿搬送部１０４および原稿読取部１０６を制御して、１枚目および２枚目の原稿は原稿読取部１０６に原稿を読み取らせることなく、原稿セット部１０２から原稿排出部１０８への搬送のみを行う。この間、読取制御部１１２は、各原稿が搬送される度に、タグ情報読取部１１０に原稿セット部１０２にセットされた原稿の識別情報を取得させるようにしてもよい。これにより、再セットした原稿の搬送時の搬送不良を検出することができる。また、処理速度を向上させるためにこの処理を省略することもできる。
【００４３】
２枚目の原稿が搬送された後、読取制御部１１２は、タグ情報読取部１１０に原稿セット部１０２にセットされた原稿の識別情報を取得させる。ここで、読取制御部１１２は、読取状態記憶部１２０を参照することにより、前回搬送不良が生じた時点で原稿セット部１０２に残っていた原稿の識別情報「００１」、「００３」、および「００４」を把握することができる。読取制御部１１２は、今回タグ情報読取部１１０が取得した識別情報の中にこれらの識別情報が含まれているか否かを判断することにより、その時点で搬送不良が生じているかいないかを検出することができる。
【００４４】
搬送不良が生じていない場合、読取制御部１１２は、原稿搬送部１０４に３枚目の原稿を原稿セット部１０２から搬送させるとともに、原稿読取部１０６にその原稿を読み取らせる。この後、読取制御部１１２は、タグ情報読取部１１０に原稿セット部１０２にセットされた原稿の識別情報を取得させる。ここで、たとえばタグ情報読取部１１０が識別情報「００１」および「００３」を取得した場合、読取制御部１１２は、３枚目の原稿の搬送処理が正常に行われたこと、および３枚目に識別情報「００４」の原稿が搬送されたことを把握することができる。
【００４５】
つづいて、読取制御部１１２は、原稿搬送部１０４に４枚目の原稿を原稿セット部１０２から搬送させるとともに、原稿読取部１０６にその原稿を読み取らせる。この後、読取制御部１１２は、タグ情報読取部１１０に原稿セット部１０２にセットされた原稿の識別情報を取得させる。ここで、たとえばタグ情報読取部１１０が識別情報「００１」を取得した場合、読取制御部１１２は、４枚目の原稿の搬送処理が正常に行われたこと、および４枚目に識別情報「００４」の原稿が搬送されたことを把握することができる。
【００４６】
これ以降は、前回の処理で正常に原稿読取が行われているため、読取制御部１１２は、原稿搬送部１０４および原稿読取部１０６を制御して、５枚目の原稿は原稿読取部１０６に原稿を読み取らせることなく、原稿セット部１０２から原稿排出部１０８への搬送のみを行う。
【００４７】
図３は、以上の処理を行った場合に、読取状態記憶部１２０に記憶される情報を示す図である。ここでは、２回目の原稿搬送を行った後に識別情報「００１」、「００３」、および「００４」の原稿が原稿セット部１０２に残っており、その時点までの原稿搬送は正常に行われていること、３回目の原稿搬送で識別情報「００４」の原稿が搬送され、原稿搬送が正常に行われていること、および４回目の原稿搬送で識別情報「００３」の原稿が搬送され、原稿搬送が正常に行われていることが記憶されている。
【００４８】
なお、以上の処理において、読取制御部１１２が搬送不良が生じていることを検出した場合、読取制御部１１２は、出力処理部１１６に搬送不良が生じたことを通知し、出力処理部１１６は、表示部１１８にその旨を表示させることができる。
【００４９】
図１に戻り、読取制御部１１２は、原稿読取部１０６が読み取った原稿の画像データを、その原稿の識別情報に対応付けて画像データ記憶部１２２に記憶する。
【００５０】
図４は、画像データ記憶部１２２の内部構成の一例を示す図である。図４（ａ）は、図２に示した状態における画像データの記録である。ここで、画像データＤＡＴＡ１−１、画像データＤＡＴＡ１−２、画像データＤＡＴＡ１−３、および画像データＤＡＴＡ１−４は、それぞれ識別情報「００２」、「００５」、「００３／００４」、および「００１」に対応付けられている。これらのうち、画像データＤＡＴＡ１−１、画像データＤＡＴＡ１−２、および画像データＤＡＴＡ１−４は、識別情報「００２」、「００５」、および「００１」にそれぞれ一対一で対応付けられているため、読取画像データとして確定されている。一方、画像データＤＡＴＡ１−３は、識別情報「００３／００４」に対応付けられており、この箇所で搬送不良が生じているため、読取画像データとして確定されていない。
【００５１】
図３に示した状態で原稿の再読取が行われた場合、図４（ａ）で確定されていなかった画像データＤＡＴＡ１−３は、消去され、新たに読み取られた画像データＤＡＴＡ２−１および画像データＤＡＴＡ２−２がそれぞれ識別情報「００４」および「００３」に対応付けて画像データ記憶部１２２に記憶される。図４（ｂ）は、すべての画像データが確定された状態の画像データの記録である。出力処理部１１６は、ユーザの指示等に基づき、画像データ記憶部１２２に記憶された画像データを表示部１１８に表示させることもできる。これにより、原稿の読取処理が正確に行われたか否かをユーザが確認することができる。
【００５２】
図５は、本実施の形態における原稿読取装置の処理手順の一例を示すフローチャートである。
原稿セット部１０２に原稿がセットされると（Ｓ１００のＹＥＳ）、原稿セット部１０２は、原稿セット部１０２にセットされた原稿に付された無線タグから識別情報を読み取り、それらの識別情報を読取制御部１１２に送出する。読取制御部１１２は、それらの識別情報を読取状態記憶部１２０に記憶する（Ｓ１０２）。指示受付部１１４が原稿読取指示を受け付けると（Ｓ１０４のＹＥＳ）、読取制御部１１２の制御に基づき、原稿搬送部１０４は、原稿セット部１０２から１枚の原稿を搬送し（Ｓ１０６）、原稿読取部１０６はその原稿を読み取り、画像データを生成する（Ｓ１０８）。原稿読取部１０６が読み取った原稿は原稿排出部１０８に搬送される。つづいて、読取制御部１１２の制御に基づき、タグ情報読取部１１０は、原稿セット部１０２に残った原稿に付された無線タグから識別情報を読み取り、それらの識別情報を読取制御部１１２に送出する。読取制御部１１２は、それらの識別情報を読取状態記憶部１２０に記憶する（Ｓ１１０）。読取制御部１１２は、読取状態記憶部１２０を参照し、ステップＳ１０２で記憶された原稿の識別情報とステップＳ１１０で記憶された原稿の識別情報とを比較して、原稿の搬送が正常に行われたか否かを判断する（Ｓ１１２）。原稿の搬送不良がなかった場合（Ｓ１１２のＹＥＳ）、読取制御部１１２は、原稿の識別情報と、その原稿に対応する画像データとを対応付けて画像データ記憶部１２２に記憶する（Ｓ１１５）。一方、原稿の搬送不良があった場合（Ｓ１１２のＮＯ）、エラーを示す情報が読取状態記憶部１２０に記憶される（Ｓ１１４）。その後ステップＳ１１５に進む。
【００５３】
つづいて、読取制御部１１２は、原稿読取処理を終了するか否かを判断する（Ｓ１１６）。原稿読取処理を終了するか否かの判断は、ステップＳ１１０でタグ情報読取部１１０が識別情報を取得したか否かに基づき判断することができる。また、たとえば原稿セット部１０２にセンサを設けておき、センサにより原稿の有無を検知して判断することもできる。
【００５４】
ステップＳ１１６において、原稿読取処理を終了しない場合（Ｓ１１６のＮＯ）、ステップＳ１０６に戻り、同様の処理を繰り返す。ここで、ステップＳ１１２において、読取制御部１１２は、読取状態記憶部１２０を参照し、前回の処理で記憶された原稿の識別情報と今回の処理で記憶された原稿の識別情報とを比較して、原稿の搬送が正常に行われたか否かを判断する（Ｓ１１２）。
【００５５】
ステップＳ１１６において、原稿読取処理を終了する場合（Ｓ１１６のＹＥＳ）、読取制御部１１２は、読取状態記憶部１２０を参照して、原稿読取処理において搬送不良が生じたか否かに基づき、原稿の再読取を行うか否かを判断する（Ｓ１１８）。原稿の再読取が必要な場合（Ｓ１１８のＹＥＳ）、後述する再読取処理を行う（Ｓ１２０）。原稿の再読取が不要の場合（Ｓ１１８のＮＯ）、原稿読取処理を終了する。
【００５６】
図６は、図５のステップ１２０の再読取処理の詳細な手順を示すフローチャートである。
まず、出力処理部１１６は、表示部１１８や音声出力部（不図示）に原稿の搬送不良が発生したこと、および原稿セット部１０２に原稿を再セットすることを要請する提示を行わせる（Ｓ１４０）。原稿セット部１０２に原稿がセットされ（Ｓ１４２のＹＥＳ）、指示受付部１１４が原稿読取指示を受け付けると（Ｓ１４４のＹＥＳ）、タグ情報読取部１１０は、読取制御部１１２の制御に基づき、原稿セット部１０２にセットされた原稿に付された無線タグから識別情報を読み取り、それらの識別情報を読取制御部１１２に送出する。読取制御部１１２は、それらの識別情報を読取状態記憶部１２０に記憶する（Ｓ１４６）。読取制御部１１２は、読取状態記憶部１２０を参照して、この時点で原稿セット部１０２にセットされた原稿が正常か否かを判断する（Ｓ１４８）。
【００５７】
原稿が正常な場合（Ｓ１４８のＹＥＳ）、読取制御部１１２は、読取状態記憶部１２０を参照して、次に搬送する原稿が前回の処理で搬送不良が生じた原稿か否かを判断する（Ｓ１５０）。読取制御部１１２は、原稿セット部１０２に再セットされた原稿の搬送順序および読取状態記憶部１２０に記憶された前回の処理で搬送不良が生じた原稿の搬送順序に基づき、この判断を行うことができる。
【００５８】
次に搬送する原稿が前回の処理で搬送不良が生じた原稿の場合（Ｓ１５０のＹＥＳ）、読取制御部１１２の制御に基づき、原稿搬送部１０４は、原稿セット部１０２から１枚の原稿を搬送し（Ｓ１５２）、原稿読取部１０６はその原稿を読み取り、画像データを生成する（Ｓ１５４）。原稿読取部１０６が読み取った原稿は原稿排出部１０８に搬送される。つづいて、読取制御部１１２の制御に基づき、タグ情報読取部１１０は、原稿セット部１０２に残った原稿に付された無線タグから識別情報を読み取り、それらの識別情報を読取制御部１１２に送出する。読取制御部１１２は、それらの識別情報を読取状態記憶部１２０に記憶する（Ｓ１５６）。読取制御部１１２は、読取状態記憶部１２０を参照し、ステップＳ１４８で記憶された原稿の識別情報とステップＳ１５８で記憶された原稿の識別情報とを比較して、原稿の搬送が正常に行われたか否かを判断する（Ｓ１５８）。原稿の搬送が正常に行われた場合（Ｓ１５８のＹＥＳ）、読取制御部１１２は、原稿の識別情報と、その原稿に対応する画像データとを対応付けて画像データ記憶部１２２に記憶する（Ｓ１５９）。読取制御部１１２は、原稿再読取処理を終了するか否かを判断する（Ｓ１６０）。原稿再読取処理を終了しない場合（Ｓ１６０のＮＯ）、ステップＳ１４６に戻り、同様の処理を繰り返す。
【００５９】
次に搬送する原稿が前回の処理で搬送不良が生じた原稿ではない場合（Ｓ１５０のＮＯ）、原稿搬送部１０４は、読取制御部１１２の制御に基づき、原稿セット部１０２から１枚の原稿を原稿排出部１０８に搬送する（Ｓ１６２）。ここでは、原稿読取部１０６が原稿を読み取ることなく、原稿の搬送のみが行われる。つづいて、読取制御部１１２は、原稿再読取処理を終了するか否かを判断する（Ｓ１６４）。原稿再読取処理を終了しない場合（Ｓ１６４のＮＯ）、ステップＳ１４６に戻り、同様の処理を繰り返す。
【００６０】
ステップＳ１６０またはステップＳ１６４において、原稿再読取処理を終了する場合（Ｓ１６０のＹＥＳ、またはステップＳ１６４のＹＥＳ）、読取制御部１１２は、ステップＳ１１５（図５）で記憶された画像データのうち、エラーがあった画像データをステップＳ１５９で記憶された画像データに書き換える（Ｓ１６８）。
【００６１】
以上のように、本実施の形態における原稿読取装置１００によれば、原稿の搬送不良が生じたことを自動的に検出することができる。また、再搬送や再読取も簡易かつ迅速に行うことができる。
【００６２】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００６３】
以上の実施の形態においては、タグ情報読取部１１０が原稿セット部１０２に設けられた構成を示したが、タグ情報読取部は、原稿排出部１０８に設けることもできる。この場合も、読取制御部１１２は、原稿搬送部１０４が原稿を原稿読取部１０６から原稿排出部１０８に搬送する度にタグ情報読取部に原稿排出部１０８にセットされている原稿の無線タグから情報を取得させる。読取制御部１１２は、原稿読取部１０６からの原稿搬送前後におけるタグ情報読取部が読み取った無線タグの数の変化に基づき、原稿搬送部１０４による原稿の搬送不良を検出することができる。
【００６４】
また、タグ情報読取部は、原稿セット部１０２から原稿排出部１０８に至る原稿通過経路内の原稿セット部１０２や原稿排出部１０８以外の場所に設けることもできる。ここで、原稿セット部１０２や原稿排出部１０８以外の場所とは、原稿通過経路内において原稿が分離された状態で存在する場所とすることができる。このような場所では、基本的に原稿が１枚ずつ通過することになるので、搬送中の原稿の識別情報を容易に特定することができる。とくに、たとえば原稿を一時的に原稿載置台上に静止させて読み取るタイプの原稿読取部においては、各原稿がある程度の時間静止しているので、原稿読取部にタグ情報読取部を設けることにより、原稿の識別情報の特定を容易にするとともに、タグ情報の読取精度を高めることもできる。
【００６５】
タグ情報読取部が原稿通過経路内の原稿セット部１０２や原稿排出部１０８以外の場所に設けられ、原稿移動中にタグ情報を読み取る場合、タグ情報読取部が所定時間内に複数のタグ情報を読み取った場合に重送が生じたと判断することができる。また、タグ情報読取部が原稿通過経路内の原稿セット部１０２や原稿排出部１０８以外の場所に設けられ、原稿を一時的に原稿載置台上等に静止させてタグ情報を読み取る場合、複数のタグ情報を同時に読み取った場合に重送が生じたと判断することができる。
【００６６】
また、タグ情報読取部が原稿通過経路内の原稿セット部１０２や原稿排出部１０８以外の場所に設けられた場合、タグ情報読取位置よりも上流側の所定位置に原稿の先端が到着するタイミングで、たとえば原稿搬送部１０４から搬送信号が出力されるようにしておくことができる。この場合、読取制御部１１６が搬送信号を受けるようにしておき、２回の搬送信号が通知される間に複数のタグ情報が読み取られた場合に、重送が生じたと判断することができる。
【００６７】
また、原稿読取装置１００は、複数のタグ情報読取部を含むこともできる。
【００６８】
原稿読取装置１００は、原稿セット部１０２から原稿排出部１０８に至る原稿通過経路内に、原稿が通過したことを感知する通過センサをさらに含むこともできる。通過センサは、タグ情報読取部により構成することもできるが、光電センサ等により構成することもできる。
【００６９】
以上の実施の形態においては、原稿セット部１０２にセットされる原稿のすべてに無線タグが付された例を説明したが、上述したような光電センサ等により構成された通過センサを併用すること等により、原稿の中に無線タグが付されていないものが含まれている場合でも、原稿搬送不良を精度よく検出することができる。
【００７０】
以上の実施の形態においては、原稿が重送（２枚以上同時に搬送）された場合の搬送不良を例として説明したが、本発明によれば、重送の場合だけでなく、原稿が搬送されなかった場合（搬送なし）の搬送不良も検出することができる。
【００７１】
無線タグには、識別情報以外に、たとえばサイズ情報等の他の情報も記憶しておくことができる。このような場合、読取制御部１１２は、無線タグに記憶された情報に基づき、読取処理等を行うこともできる。
【００７２】
以上の実施の形態において説明した原稿読取装置１００は、ファクシミリ、コピー、スキャナ、またはこれらの機能等を統合したネットワーク複合機とすることができる。
【図面の簡単な説明】
【００７３】
【図１】実施の形態における原稿読取装置の構成を示すブロック図である。
【図２】読取状態記憶部の内部構造の一例を示す図である。
【図３】読取状態記憶部の内部構造の一例を示す図である。
【図４】画像データ記憶部の内部構造の一例を示す図である。
【図５】実施の形態における原稿読取装置の処理手順の一例を示すフローチャートである。
【図６】図５の再読取処理の詳細な手順を示すフローチャートである。
【符号の説明】
【００７４】
１００  原稿読取装置
１０２  原稿セット部
１０４  原稿搬送部
１０６  原稿読取部
１０８  原稿排出部
１１０  タグ情報読取部
１１２  読取制御部
１１４  指示受付部
１１６  出力処理部
１１８  表示部
１２０  読取状態記憶部
１２２  画像データ記憶部
【図１】
2006135669.tif 000003
【図２】
2006135669.tif 000004
【図３】
2006135669.tif 000005
【図４】
2006135669.tif 000006
【図５】
2006135669.tif 000007
【図６】
2006135669.tif 000008